(57)【特許請求の範囲】
【請求項１】
上部を開口した断面コ字状のダクト本体と前記開口を塞ぐ蓋体からなるケーブル収納用の配管ダクトであって、前記ダクト本体の底面下部にケーブル取出し用のボックス状空間部を設け、このダクト本体とボックス状空間部を開閉自在な中間蓋体で区切るとともに、この中間蓋体の前方側及び後方側にはダクト本体とボックス状空間部を連通する開口部を形成し、更に、ボックス状空間部の前方部にはダクト本体からボックス状空間部へ導いたケーブルをそのまま真っ直ぐに外部へ取出すための透孔を形成したことを特徴とする配管ダクト。
【請求項２】
ダクト本体内が、セパレータにより通信ケーブルの収納エリアと電源ケーブルの収納エリアに隔離されている請求項１に記載の配管ダクト。
【発明の詳細な説明】
【技術分野】
【０００１】
本発明は、電源ケーブルや通信ケーブル等を容易に取出すことができて優れた施工性を発揮するケーブル取出し機能を有する配管ダクトに関するものである。
【背景技術】
【０００２】
例えば鉄道の縦断管路の配管方式として、コンクリート製のダクト内に電源ケーブルや通信ケーブル等を収納させたものが知られている。一方、高速道路では縦断管路は地中に埋設したものが一般的であるが、最近では、再生プラスチックを原料とした軽量ダクト（特許文献１を参照）を用いた配管方式の採用が検討されている。この軽量ダクトは、成形性に優れており、また軽量性、難燃性、耐荷重性、耐衝撃性、耐腐食性等にも優れたものである。
【０００３】
なお、前記ダクト内の電源ケーブルや通信ケーブル等は、必要に応じてダクトから取出されたうえ、本線上の設備に接続されている。このケーブル３０の取出しは、図７に示されるように、ダクト３１の側面に形成した孔３２から取出すのが普通である。なお、３３は分岐配管である。
【０００４】
しかしながら、従来のケーブルの取出し方法ではケーブル３０を９０°曲げることになるので、ケーブルの屈曲半径を確保するためにケーブル外径の１０倍相当以上のダクト巾が必要となり、ダクト３１が大型化するという問題があった。また、複数本のケーブルが収納されている場合は、前記屈曲するケーブルを跨ぐ必要があり、ダクトの使用断面積が小さくなるという問題や、ケーブル３０を引っ張って取出す際にケーブルを傷付ける現象が発生しやすいという問題もあった。また、上記のようにケーブル取出しのために巾の広い特別なダクトを準備したり、あるいは接続用のハンドホールを設置する必要がありコストアップを招くという問題があった。
【先行技術文献】
【特許文献】
【０００５】
【特許文献１】特開２０００−２６１９４５号公報
【発明の概要】
【発明が解決しようとする課題】
【０００６】
本発明は上記のような問題点を解決して、ケーブルの取出しが容易にできて優れた施工性を発揮することができ、またケーブルを大きく屈曲させないのでダクトを小型化することができるうえ使用断面積も大きくすることができ、更には取出しの際にケーブルが傷付くのを防止することができる配管ダクトを提供することを目的として完成されたものである。
【課題を解決するための手段】
【０００７】
上記課題を解決するためになされた本発明の配管ダクトは、上部を開口した断面コ字状のダクト本体と前記開口を塞ぐ蓋体からなるケーブル収納用の配管ダクトであって、前記ダクト本体の底面下部にケーブル取出し用のボックス状空間部を設け、このダクト本体とボックス状空間部を開閉自在な中間蓋体で区切るとともに、この中間蓋体の前方側及び後方側にはダクト本体とボックス状空間部を連通する開口部を形成し、更に、ボックス状空間部の前方部にはダクト本体からボックス状空間部へ導いたケーブルをそのまま真っ直ぐに外部へ取出すための透孔を形成したことを特徴とするものである。
【０００９】
また、ダクト本体内が、セパレータにより通信ケーブルの収納エリアと電源ケーブルの収納エリアに隔離されているものとすることもでき、これを請求項２に係る発明とする。
【発明の効果】
【００１０】
請求項１に係る発明では、ダクト本体の底面下部にケーブル取出し用のボックス状空間部を設けたので、従来のようにケーブルを大きく屈曲させずに、ケーブルを流れ方向に沿って下部のボックス状空間部へ取出すことが可能となり、ダクトの巾を小型化することができ、また取出しの際にケーブルが傷付くのも防止できる。
【００１１】
請求項２に係る発明では、ダクト本体とボックス状空間部とは中間蓋体で区切られており、この中間蓋体の前方側及び後方側にはダクト本体とボックス状空間部を連通する開口部が形成された構造としたので、ダクト本体の底面下部にボックス状空間部を簡単に形成することができ、また中間蓋体を開ければケーブルを前記空間部内へ容易にセットできるので優れた施工性を発揮できることとなる。
【００１２】
請求項３に係る発明では、ダクト本体内が、セパレータにより通信ケーブルの収納エリアと電源ケーブルの収納エリアに隔離されているものとしたので、種類の異なったケーブルをスッキリと区分けでき、また、いずれのケーブルでも任意に分岐させることができることとなる。
【図面の簡単な説明】
【００１３】
【図１】本発明の実施の形態を示す斜視図である。
【図２】図１の使用状態を示す縦断面図である。
【図３】図２の斜視図である。
【図４】その他の実施の形態を示す斜視図である。
【図５】その他の実施の形態を示す斜視図である。
【図６】その他の実施の形態を示す斜視図である。
【図７】従来のケーブルの取出し例を示す平面断面図である。
【発明を実施するための形態】
【００１４】
以下に、図面を参照しつつ本発明の好ましい実施の形態を示す。
図１は、本発明の配管ダクトの一例を示す斜視図、図２は図１の蓋体を外した使用状態を示す縦断面図、図３は図２の斜視図である。この配管ダクトは、高速道路等の端縁部に上面を地上に露出した状態で設置され、ダクト内に収納した電源ケーブルや通信ケーブル等を、必要に応じてダクトから取出したうえ、本線上の設備に接続するものである。
【００１５】
図において、１は上部を開口した断面コ字状のダクト本体、２は前記開口を塞ぐ蓋体２であり、３０はこの配管ダクト内に収納されるケーブルである。また、前記ダクト本体１と蓋体２は、従来のコンクリート製のダクトではなく、再生プラスチックを原料とした軽量ダクトである。
図示のものでは、ダクト本体１の大きさは長さが５００〜２０００ｍｍ、巾が１５０〜３００ｍｍ、深さが１５０〜３００ｍｍ程度のものであるが、これに限定されるものではない。
【００１６】
前記ダクト本体１の底面下部には、ケーブル取出し用のボックス状空間部３が設けられている。
このボックス状空間部３は、図２〜図３に示されるように、ダクト本体内を走るケーブル３０を大きく曲げることなくケーブルの長手方向で下方に引き込み、ダクト本体１の経路とは別の経路へ分岐等するものである。このボックス状空間部３を利用してケーブル３０を分岐等すれば、従来のようにケーブル３０を９０°曲げていたのに比べて巾の狭いダクト本体１とすることができ、またケーブル３０を引出す際に傷をつける等の問題もなくなる。
【００１７】
図示のものでは、ダクト本体１とボックス状空間部３とは中間蓋体４で区切られており、この中間蓋体４の前方側及び後方側にはダクト本体１とボックス状空間部３を連通する開口部５ａ、５ｂが形成された構造となっている。また、ボックス状空間部３の前方部にはケーブル３０を取り出すための透孔６が形成されており、この透孔６は後方部にも同様に形成しておくことができる。
【００１８】
本発明によれば、ダクト本体１内を走るケーブル３０は、後方側の開口部５ｂを通じて下部のボックス状空間部３に導かれ、更に前方部の透孔６を通じてそのまま真っ直ぐに外部へ取出され、使用に供されることとなる。
なお、前記透孔６はケーブル３０の取出しに対応して後加工により形成するものである。また、透孔６には分岐配管（図示せず）が装着され、その内部にケーブル３０を挿通する構造であり、透孔６より雨水等が浸入しないようになっている。
【００１９】
前記ボックス状空間部３は、中間蓋体４で区切ることによりダクト本体１の底面下部に一体的に設けた構造が好ましい。この場合は、ダクト本体１の底面下部にボックス状空間部３を簡単に形成することができ、また中間蓋体４を開けることによりケーブル３０を前記ボックス状空間部３内へ容易にセットでき、優れた施工性を発揮する。
なお、別に成形したボックス状の空間部形成部材を、後加工によってダクト本体１に一体化してもよいことは勿論である。
【００２０】
図４に示すものでは、ケーブル３０を後方側の開口部５ｂを通じてボックス状空間部３内へ導き、分岐治具７により二手に分岐した後、一方を分岐ケーブル３０ｃとしてそのまま前方側より外部へ取出し、他方のケーブルは前方側の開口部５ａを通じて再度ダクト本体１に戻したものとなっている。
【００２１】
更に、図５に示すものでは、ダクト本体１内が、セパレータ８により通信ケーブル３０ａの収納エリアと電源ケーブル３０ｂの収納エリアに隔離されたものとなっている。
ダクト本体１内に通信ケーブル３０ａと電源ケーブル３０ｂを併設する場合は、両者を耐火性のある堅牢な隔壁で隔離することが義務付けられているので、軽量ダクト製のセパレータ８により内部を２つの収納エリアに分離する必要がある。
図示のものでは、前記セパレータ８を中間蓋体４の上面に一体的に設けられた構造となっており、簡単にセパレータ８の設置が可能である。また、セパレータ８があっても、中間蓋体４の前方側及び後方側にはダクト本体１とボックス状空間部３を連通する開口部５ａ、５ｂが形成されている点は同じである。
【００２２】
図６に示すものは、ボックス状空間部３に排水管９を連結した構造であり、この場合はダクト本体１内に侵入した雨水が、開口部５ａ、５ｂを通じて更に下部のボックス状空間部３内に導かれ、その雨水が前記排水管９により外部へ排水される構造となっている。この結果、排水用配管ダクトとしての利用にも供することが可能となる。
【００２３】
以上のように構成された本発明の配管ダクトは、高速道路の端縁部に視認できるように設置されて使用に供されるものであり、必要に応じてダクト本体内の電源ケーブルや通信ケーブル等が取出されたうえ、本線上の設備に接続される。
本発明ではダクト本体の底面下部にケーブル取出し用のボックス状空間部を設けた構造となっており、ケーブルを略直線状にそのまま下方部へ取出すので、ダクト本体内でケーブルを大きく曲げることがなくダクトの巾を小さくすることができる。また、従来のように屈曲したケーブルがダクト本体内を横切らないので、ダクトの使用断面積を小さくすることもない。また、ケーブルを引っ張って取出す際にもケーブルを大きく曲げないので傷付ける心配もない。更には、ケーブル取出しのために巾の広い特別な寸法のダクトを準備する必要がなく、普通のダクトとの互換性もあり必要に応じて任意の場所でケーブルの取出しを行うことができ、またダクトの巾を全て同一サイズに揃えることが可能で外観的にスッキリしてデザイン的にも優れている等の種々の利点を有している。
【符号の説明】
【００２４】
１  ダクト本体
２  蓋体
３  ボックス状空間部
４  中間蓋体
５ａ  開口部
５ｂ  開口部
６  透孔
７  分岐治具
８  セパレータ
９  排水管
３０  ケーブル
30a   電源ケーブル
30b   通信ケーブル
30c   分岐ケーブル
３３  分岐配管
【図１】
0005595192.tif 000002
【図２】
0005595192.tif 000003
【図３】
0005595192.tif 000004
【図４】
0005595192.tif 000005
【図５】
0005595192.tif 000006
【図６】
0005595192.tif 000007
【図７】
0005595192.tif 000008